(57)【特許請求の範囲】
【請求項１】
動画像データを記憶する着脱可能な記憶手段と、
前記記憶手段に記憶された前記動画像データのうち再生する時間帯を指定する時間帯指定手段と、
前記記憶手段に記憶された前記動画像データから、前記時間帯指定手段により指定された時間帯の動画像データを抽出する抽出手段と、
前記抽出した動画像データを分割する第１分割数、および当該第１分割数で分割された複数の動画像データの中から選択された動画像データを更に分割する第２分割数を受け付ける受付手段と、
前記抽出した動画像データを前記第１分割数の複数の動画像データに均等に分割し、前記抽出した動画像データを前記第１分割数で分割した後、前記第２分割数が受け付けられた場合、前記第１分割数で分割された動画像データを前記第２分割数の複数の動画像データに均等に分割する分割手段と、
前記第１分割数で分割された複数の動画像データまたは前記第２分割数で分割された複数の動画像データを同時に再生する再生手段と、
前記第１分割数で分割された複数の動画像データまたは前記第２分割数で分割された複数の動画像データの数に応じて表示手段の表示領域を分割し、前記再生された複数の動画像データを前記表示領域に各々表示する表示制御手段と、
前記表示領域に表示された動画像データに含まれるフレームのうち１フレームを指定するフレーム指定手段と、
前記表示領域に表示された動画像データから、前記フレーム指定手段により指定されたフレームを抽出するフレーム抽出手段と、を備え、
前記表示制御手段は、前記表示領域、前記記憶手段に記憶された前記動画像データの時間軸を示すタイムライン、および前記タイムラインが示す時間軸における時間帯を示すタイムバーを含む画面を前記表示手段に表示し、
前記時間帯指定手段は、前記タイムバーが示す時間帯を、前記記憶手段に記憶された前記動画像データのうち再生する時間帯として指定することを特徴とする画像再生装置。
【請求項２】
コンピュータを、
着脱可能な記憶手段に記憶された動画像データのうち再生する時間帯を指定する時間帯指定手段と、
前記記憶手段に記憶された前記動画像データから、前記時間帯指定手段により指定された時間帯の動画像データを抽出する抽出手段と、
前記抽出した動画像データを分割する第１分割数、および当該第１分割数で分割された複数の動画像データの中から選択された動画像データを更に分割する第２分割数を受け付ける受付手段と、
前記抽出した動画像データを前記第１分割数の複数の動画像データに均等に分割し、前記抽出した動画像データを前記第１分割数で分割した後、前記第２分割数が受け付けられた場合、前記第１分割数で分割された動画像データを前記第２分割数の複数の動画像データに均等に分割する分割手段と、
前記第１分割数で分割された複数の動画像データまたは前記第２分割数で分割された複数の動画像データの数に応じて表示手段の表示領域を分割し、前記再生された複数の動画像データを前記表示領域に各々表示する表示制御手段と、
前記表示領域に表示された動画像データに含まれるフレームのうち１フレームを指定するフレーム指定手段と、
前記表示領域に表示された動画像データから、前記フレーム指定手段により指定されたフレームを抽出するフレーム抽出手段と、
して機能させ、
前記表示制御手段は、前記表示領域、前記記憶手段に記憶された前記動画像データの時間軸を示すタイムライン、および前記タイムラインが示す時間軸における時間帯を示すタイムバーを含む画面を前記表示手段に表示し、
前記時間帯指定手段は、前記タイムバーが示す時間帯を、前記記憶手段に記憶された前記動画像データのうち再生する時間帯として指定することを特徴とするプログラム。
【請求項３】
時間帯指定手段が、着脱可能な記憶手段に記憶された動画像データのうち再生する時間帯を指定する時間帯指定ステップと、
抽出手段が、前記記憶手段に記憶された前記動画像データから、前記時間帯指定手段により指定された時間帯の動画像データを抽出する抽出ステップと、
受付手段が、前記抽出した動画像データを分割する第１分割数、および当該第１分割数で分割された複数の動画像データの中から選択された動画像データを更に分割する第２分割数を受け付ける受付ステップと、
分割手段が、前記抽出した動画像データを前記第１分割数の複数の動画像データに均等に分割し、前記抽出した動画像データを前記第１分割数で分割した後、前記第２分割数が受け付けられた場合、前記第１分割数で分割された動画像データを前記第２分割数の複数の動画像データに均等に分割する分割ステップと、
再生手段が、前記第１分割数で分割された複数の動画像データまたは前記第２分割数で分割された複数の動画像データを同時に再生する再生ステップと、
表示制御手段が、前記第１分割数で分割された複数の動画像データまたは前記第２分割数で分割された複数の動画像データの数に応じて表示手段の表示領域を分割し、前記再生された複数の動画像データを前記表示領域に各々表示する表示制御ステップと、
フレーム指定手段が、前記表示領域に表示された動画像データに含まれるフレームのうち１フレームを指定するフレーム指定ステップと、
フレーム抽出手段が、前記表示領域に表示された動画像データから、前記フレーム指定手段により指定されたフレームを抽出するフレーム抽出ステップと、を含み、
前記表示制御手段は、前記表示領域、前記記憶手段に記憶された前記動画像データの時間軸を示すタイムライン、および前記タイムラインが示す時間軸における時間帯を示すタイムバーを含む画面を前記表示手段に表示し、
前記時間帯指定手段は、前記タイムバーが示す時間帯を、前記記憶手段に記憶された前記動画像データのうち再生する時間帯として指定することを特徴とする画像再生方法。
【発明の詳細な説明】
【技術分野】
【０００１】
本発明は、動画像データを分割して生成された複数の動画像データを同時に再生し、当該複数の動画像データの動画像を一画面に同時に表示させる画像再生装置、プログラム、および画像再生方法に関するものである。
【背景技術】
【０００２】
近年、ＣＣＤイメージセンサなどで撮像した被写体の静止画や動画をデジタルの画像データに変換し、内部メモリやメモリカードなどの記憶手段に記憶するデジタルカメラが普及している。特に、デジタルカメラに実装される記憶手段の低価格化や容量の増大により動画の画像データ（以下、動画像データとする）を記憶可能なデジタルカメラの普及が著しい。
【０００３】
このようなデジタルカメラは、記憶手段に記憶された静止画の画像データ（以下、静止画像データ）や動画像データを、デジタルカメラ本体の背面などに設けられた液晶表示器などの表示手段に表示して、その場で鑑賞できる再生機能を有している。
【０００４】
しかしながら、記憶した動画像データを再生する際、ユーザは再生する動画像データのどの部分にどのような内容が記録されているかが分からない。そのため、ユーザは、動画像データの最も重要なシーン（場面）だけを鑑賞したい場合であっても、動画像データを最初から鑑賞して所望のシーンを見つけなければならず、非常に面倒であった。
【０００５】
そこで、このような問題を解決するために、撮影した動画から一定の間隔でフレーム画像を抽出して、この抽出したフレーム画像の数に応じて液晶表示部を分割し、抽出したフレーム画像を分割した表示画面に各々表示する装置が提案されている（特許文献１参照）。
【０００６】
特許文献１に記載の技術は、再生する動画の内容を簡単に把握するために、動画から一定の間隔で抽出された複数のフレーム画像を表示画面の各々表示し、表示されたフレーム画像から選択された一のフレーム画像の位置から動画の再生を行うものである。
【０００７】
【特許文献１】特開２００４−１９３６３５号公報
【発明の開示】
【発明が解決しようとする課題】
【０００８】
しかしながら、特許文献１に記載の技術によれば、抽出されるフレーム画像は静止画であり、分割された表示画面には静止画が表示されるだけである。つまり、動画像データから所望のシーンを抽出して鑑賞するためには、ユーザは抽出されたフレーム画像を順次選択し、当該フレーム画像の位置から再生される動画像データから所望のシーンを見つけなければならないという問題がある。
【０００９】
また、フレーム画像は、一定の間隔で抽出されるため、動画の撮影時間によっては多数のフレーム画像が抽出され、表示画面に表示されたフレーム画像が見難くなるという問題もある。
【００１０】
本発明は、記憶手段に記憶された動画像データの内容をより簡単かつ短時間に把握することができる画像再生装置、プログラム、および画像再生方法を提供することを目的とする。
【課題を解決するための手段】
【００１１】
上述した課題を解決し、目的を達成するために、請求項１にかかる発明の画像再生装置は、動画像データを記憶する着脱可能な記憶手段と、前記記憶手段に記憶された前記動画像データのうち再生する時間帯を指定する時間帯指定手段と、前記記憶手段に記憶された前記動画像データから、前記時間帯指定手段により指定された時間帯の動画像データを抽出する抽出手段と、前記抽出した動画像データを分割する第１分割数、および当該第１分割数で分割された複数の動画像データの中から選択された動画像データを更に分割する第２分割数を受け付ける受付手段と、前記抽出した動画像データを前記第１分割数の複数の動画像データに均等に分割し、前記抽出した動画像データを前記第１分割数で分割した後、前記第２分割数が受け付けられた場合、前記第１分割数で分割された動画像データを前記第２分割数の複数の動画像データに均等に分割する分割手段と、前記第１分割数で分割された複数の動画像データまたは前記第２分割数で分割された複数の動画像データを同時に再生する再生手段と、前記第１分割数で分割された複数の動画像データまたは前記第２分割数で分割された複数の動画像データの数に応じて表示手段の表示領域を分割し、前記再生された複数の動画像データを前記表示領域に各々表示する表示制御手段と、前記表示領域に表示された動画像データに含まれるフレームのうち１フレームを指定するフレーム指定手段と、前記表示領域に表示された動画像データから、前記フレーム指定手段により指定されたフレームを抽出するフレーム抽出手段と、を備え、前記表示制御手段は、前記表示領域、前記記憶手段に記憶された前記動画像データの時間軸を示すタイムライン、および前記タイムラインが示す時間軸における時間帯を示すタイムバーを含む画面を前記表示手段に表示し、前記時間帯指定手段は、前記タイムバーが示す時間帯を、前記記憶手段に記憶された前記動画像データのうち再生する時間帯として指定することを特徴とする。
【００１９】
また、請求項２にかかる発明は、コンピュータを、着脱可能な記憶手段に記憶された動画像データのうち再生する時間帯を指定する時間帯指定手段と、前記記憶手段に記憶された前記動画像データから、前記時間帯指定手段により指定された時間帯の動画像データを抽出する抽出手段と、前記抽出した動画像データを分割する第１分割数、および当該第１分割数で分割された複数の動画像データの中から選択された動画像データを更に分割する第２分割数を受け付ける受付手段と、前記抽出した動画像データを前記第１分割数の複数の動画像データに均等に分割し、前記抽出した動画像データを前記第１分割数で分割した後、前記第２分割数が受け付けられた場合、前記第１分割数で分割された動画像データを前記第２分割数の複数の動画像データに均等に分割する分割手段と、前記第１分割数で分割された複数の動画像データまたは前記第２分割数で分割された複数の動画像データの数に応じて表示手段の表示領域を分割し、前記再生された複数の動画像データを前記表示領域に各々表示する表示制御手段と、前記表示領域に表示された動画像データに含まれるフレームのうち１フレームを指定するフレーム指定手段と、前記表示領域に表示された動画像データから、前記フレーム指定手段により指定されたフレームを抽出するフレーム抽出手段と、して機能させ、前記表示制御手段は、前記表示領域、前記記憶手段に記憶された前記動画像データの時間軸を示すタイムライン、および前記タイムラインが示す時間軸における時間帯を示すタイムバーを含む画面を前記表示手段に表示し、前記時間帯指定手段は、前記タイムバーが示す時間帯を、前記記憶手段に記憶された前記動画像データのうち再生する時間帯として指定することを特徴とする。
【００２０】
また、請求項３にかかる発明は、時間帯指定手段が、着脱可能な記憶手段に記憶された動画像データのうち再生する時間帯を指定する時間帯指定ステップと、抽出手段が、前記記憶手段に記憶された前記動画像データから、前記時間帯指定手段により指定された時間帯の動画像データを抽出する抽出ステップと、受付手段が、前記抽出した動画像データを分割する第１分割数、および当該第１分割数で分割された複数の動画像データの中から選択された動画像データを更に分割する第２分割数を受け付ける受付ステップと、分割手段が、前記抽出した動画像データを前記第１分割数の複数の動画像データに均等に分割し、前記抽出した動画像データを前記第１分割数で分割した後、前記第２分割数が受け付けられた場合、前記第１分割数で分割された動画像データを前記第２分割数の複数の動画像データに均等に分割する分割ステップと、再生手段が、前記第１分割数で分割された複数の動画像データまたは前記第２分割数で分割された複数の動画像データを同時に再生する再生ステップと、表示制御手段が、前記第１分割数で分割された複数の動画像データまたは前記第２分割数で分割された複数の動画像データの数に応じて表示手段の表示領域を分割し、前記再生された複数の動画像データを前記表示領域に各々表示する表示制御ステップと、フレーム指定手段が、前記表示領域に表示された動画像データに含まれるフレームのうち１フレームを指定するフレーム指定ステップと、フレーム抽出手段が、前記表示領域に表示された動画像データから、前記フレーム指定手段により指定されたフレームを抽出するフレーム抽出ステップと、を含み、前記表示制御手段は、前記表示領域、前記記憶手段に記憶された前記動画像データの時間軸を示すタイムライン、および前記タイムラインが示す時間軸における時間帯を示すタイムバーを含む画面を前記表示手段に表示し、前記時間帯指定手段は、前記タイムバーが示す時間帯を、前記記憶手段に記憶された前記動画像データのうち再生する時間帯として指定することを特徴とする。
【発明の効果】
【００２１】
本発明によれば、記憶手段に記憶された動画像データの内容を短時間かつ簡単に視聴することができる、という効果を奏する。
【発明を実施するための最良の形態】
【００２２】
以下に添付図面を参照して、本実施の形態にかかる画像再生装置、プログラム、および画像再生方法について詳細に説明する。
【００２３】
＜第１の実施の形態＞
図１は、本実施の形態にかかる画像再生装置としてデジタルカメラ１００の前面図である。図２は、本実施の形態にかかるデジタルカメラ１００の背面図である。
【００２４】
本実施の形態にかかるデジタルカメラ１００のボディ１０１の前面には、レンズ１０２と、ストロボ発光部１０４と、接眼窓１０５と、が設けられている。また、デジタルカメラ１００の上面には、押圧操作により静止画または動画の撮影が開始されるレリーズボタン１０３が設けられている。また、図示しないボディ１０１側面には、記憶部としてのメモリカードが着脱可能なメモリスロットを覆う蓋が設けられている。
【００２５】
レンズ１０２は、ボディ１０１の前面の中央に設けられ、撮影光が入射される。本実施の形態では、ズーム式の撮影レンズを用いている。ストロボ発光部１０４は、低照度での撮影時に使用され、光を発光して被写体を照らす。
【００２６】
接眼窓１０５は、光学式ファインダであり、レンズ１０２の上方に設けられている。ユーザは、接眼窓１０５から目視によって撮影範囲等を確認する。接眼窓１０５から確認できる撮影範囲は、後述するズームボタン１０８の操作によるズーミングに応じて変化する。なお、本実施の形態では、接眼窓１０５を通して撮影範囲を確認することとしたが、これに限定するものではない。例えば、レンズ１０２を通して撮影され、後述する表示部１０６に表示された被写体の画像により撮影範囲を確認するように構成してもよい。
【００２７】
デジタルカメラ１００のボディ１０１の背面には、図２に示すように、表示部（ＬＣＤ）１０６と、モード切換スイッチ１０７と、ズームボタン１０８と、操作ボタン１０９と、十字キー１１０と、接眼窓１０５と、が設けられている。
【００２８】
ズームボタン１０８は、テレ側またはワイド側への押圧操作により、レンズ１０２の焦点距離を動かす動作（ズーミング）に用いられる。十字キー１１０は、表示部１０６に表示されるカーソル１０６ｆを上下左右に移動させ、中央部を押下して画像データ等の選択を決定する操作に用いられる。
【００２９】
操作ボタン１０９は、電源のオン・オフ、再生モード時の画像データの選択や消去などの操作に用いられる。具体的には、操作ボタン１０９が操作されてデジタルカメラ１００の電源がＯＮされると、レンズ１０２が沈胴位置からデジタルカメラ１００前面の前方へ突出し、撮影位置まで繰り出される。
【００３０】
モード切換スイッチ１０７は、デジタルカメラ１００の動作モードを選択する際に操作される。本実施の形態にかかる動作モードには、静止画モード、動画モード、及び再生モードがある。
【００３１】
静止画モードは、静止画を撮影するモードである。具体的には、レンズ１０２の内部に搭載されたＣＣＤイメージセンサ（ＣＣＤ）で撮影された１フレーム分の画像を取り込む。そして、得られた静止画の画像データ（以下、静止画データとする）は、図示しない記憶部に格納される。ここで、静止画データとは、ＣＣＤにより撮影された１フレーム分の画像とする。
【００３２】
動画モードは、動画を撮影するモードである。具体的には、利用者によるレリーズボタン１０３の押圧操作により、ＣＣＤによる動画の撮影が開始される。ＣＣＤは、所定時間（例えば、１／３０秒）毎に撮影を行う。そして、利用者が、レリーズボタン１０３を再度押圧操作すると、動画の撮影が停止される。撮影された動画の画像データ（以下、動画像データとする）は、記憶部に格納される。ここで、動画像データとは、所定時間毎にＣＣＤにより撮影された静止画（１フレーム）の集合とする。
【００３３】
再生モードは、メモリカードに格納された静止画データまたは動画像データを再生するモードである。静止画データの再生は、静止画データを表示部１０６に表示する処理である。動画像データの再生は、一定時間毎に動画像データに含まれる静止画を時系列に表示部１０６に表示することにより行われる。
【００３４】
また、再生モードは、利用者から受け付けた分割数に応じて動画像データを時系列に分割し、分割された各動画像データを同時再生する機能（以下、分割再生機能とする）を有する。利用者は、再生する動画像データが記憶部から読み出された際に、操作ボタン１０９を操作して分割再生機能を選択することにより、分割再生機能を起動させることができる。この分割再生機能は、撮影した動画の内容を簡単かつ短時間に視聴できるようにしたものである。
【００３５】
表示部１０６は、画面上に静止画データ、動画像データ等の各種データを表示する。図２に示す表示部１０６の画面は、分割再生機能により分割された各動画像データが同時に再生された場合の表示例である。図２に示した表示例では、２つに分割された動画像データ（１０６ａ、１０６ｂ）を同時に再生した場合の画面を表している。
【００３６】
このように、本実施の形態にかかるデジタルカメラ１００は、２つに分割された動画像データ（１０６ａ、１０６ｂ）を同時に再生した画面を、当該動画像データの数に応じて分割された表示領域１０６ｅに表示する。また、表示領域１０６ｅの下部には、各動画像データの録画日時、再生時間、解像度等の属性情報（１０６ｃ、１０６ｄ）を表示する。以下、分割再生機能を実現するデジタルカメラ１００の構成について説明する。
【００３７】
図３は、第１の実施の形態にかかるデジタルカメラ１００の構成を示すブロック図である。本図に示すように、このデジタルカメラ１００は、動画像データ記憶部３０１、動画像管理データベース３０２、選択受付部３０３、分割数受付部３０４、分割部３０５、表示制御部３０６、再生部３０７、フレーム指定部３０８、フレーム抽出部３０９、及びサムネイル画像データ記憶部３１０を備えている。
【００３８】
動画像データ記憶部３０１は、動画モードにより撮影された動画像データを記憶する。
【００３９】
動画像管理データベース３０２は、動画像データ記憶部３０１に記憶された動画像データの情報をテーブルで管理している。
【００４０】
図４は、動画像管理データベース３０２に格納された動画像管理テーブルの構造を示した図である。動画像管理テーブルは、動画像データ名と、記憶日時と、再生時間と、解像度とが対応付けられている。動画像データ名は、動画像データとして動画像データ記憶部３０１に格納された各動画像データの名前とする。記憶日時は、動画像データが動画像データ記憶部３０１に格納された日時とする。再生時間は、動画像データの再生に要する時間とする。解像度は、撮影された動画像データに含まれるフレームにおける画素の密度とする。
【００４１】
図３に戻り、選択受付部３０３は、再生部３０７により再生する動画像データの選択を受け付ける。利用者は、表示部１０６に表示された動画像データの一覧から再生したい動画像データを選択する。
【００４２】
図５は、再生する動画像データを選択する際に表示部１０６に表示される画面の一例を示す説明図である。図５に示す画面は、モード切換スイッチ１０７の操作により再生モードを選択し、かつ操作ボタン１０９の操作により分割再生機能を起動させることにより表示される。また、この画面には、選択可能な各動画像データの最初のフレームが表示される。利用者は、当該フレームを参考にして再生する動画像データを選択することができる。
【００４３】
具体的には、利用者は、十字キー１１０の上下左右のボタンを操作して再生したい動画像データ（ＡＡＡ、ＢＢＢ、ＣＣＣ、ＤＤＤ、ＥＥＥ、ＦＦＦ、...）にカーソル５０１を移動させる。次に、利用者は、カーソル５０１を再生したい動画像データに合わせた状態で、十字キー１１０の中央部のボタンを押下して再生する動画像データを選択する。なお、表示部１０６に表示される動画像データの一覧に含まれる動画像データの数（例えば、１２個）は、ズームボタン１０８をテレ側またはワイド側へ押圧操作することにより、段階的に変化させることができる。
【００４４】
また、選択受付部３０３は、分割部３０５によって動画像データが複数の動画像データに分割された後、複数に分割された動画像データから更に分割する動画像データの選択を受け付ける。具体的には、動画像データの分割後、表示部１０６に表示される当該分割された動画像データの中から、更に分割する動画像データの選択を受け付ける。
【００４５】
図３に戻り、分割数受付部３０４は、動画像データを分割する数（以下、分割数とする）を受け付ける。具体的には、図６に示す表示部１０６に表示される画面において指示された分割数の入力を受け付ける。図６は、動画像データの分割数の入力を受け付ける際に表示部１０６に表示される画面の一例を示した説明図である。この画面は、選択受付部３０３によって再生する動画像データが選択されることにより表示される。利用者は、十字キー１１０を操作して選択したい分割数（６０１、６０２、６０３）にカーソル６０４を移動させる。次に、利用者は、カーソル６０４を所望の分割数に合わせた状態で、十字キー１１０の中央部のボタンを押下して分割数を選択する。なお、図６に示した画面には、分割する動画像データの最初のフレーム６０５及び当該動画像データの情報６０６が表示される。これにより、利用者は、分割する動画像データの内容を再度確認することができる。
【００４６】
また、分割数受付部３０４は、分割された動画像データを更に分割する分割数を受け付ける。具体的には、図７に示す表示部１０６に表示される画面において、分割部３０５によって分割された動画像データを更に分割する分割する分割数の入力を受け付ける。図７は、動画像データの分割後に表示部１０６に表示される画面の一例を示した説明図である。この画面は、分割部３０５によって動画像データが分割された後に表示され、分割する動画像データの選択および分割数の選択を受け付ける。また、この図７に示した画面には、さらに分割する各動画像データの最初のフレーム（７０５、７０６）及び当該画像データの情報（７０８、７０９）が表示される。
【００４７】
利用者は、十字キー１１０の上下のボタンを操作してカーソル７０４を選択したい分割数（７０１、７０２、７０３）へ移動させ、カーソル７０４を所望の分割数に合わせた状態で、十字キー１１０の中央部のボタンを押下して、分割数を選択する。
【００４８】
さらに、利用者は、分割数を選択した後または分割数を選択する前に、十字キー１１０の左右のボタンを操作してカーソル７０７を動画像データ（ａａａ、ｂｂｂ）へ移動させ、カーソル７０７を所望の動画像データに合わせた状態で、十字キー１１０の中央部のボタンを押下することで、更に分割する動画像データを選択することができる。そして、以上の操作により選択された分割数および動画像データは、上述した選択受付部３０３により受け付けられる。
【００４９】
図３に戻り、分割部３０５は、動画像データを複数の動画像データに時系列に分割する。具体的には、選択受付部３０３により受け付けた動画像データを動画像データ記憶部３０１から取得し、取得した動画像データを分割数受付部３０４で受け付けた分割数に分割する。
【００５０】
図８は、動画像データを２つの動画像データに時系列に分割した一例を示す説明図である。タイムライン８０１は、動画像データ記憶部３０１から取得した分割前の動画像データの時間軸である。タイムライン８０１に示す動画像データは、再生時間が２分である。タイムライン８０２は、タイムライン８０１に示す動画像データを分割した２つの動画像データのうち、００：００：００から００：０１：００までの動画像データの時間軸である。タイムライン８０３は、タイムライン８０１に示す動画像データを分割した２つの動画像データのうち、００：０１：００から００：０２：００までの動画像データの時間軸である。このように、分割部３０５は、分割数受付部３０４で受け付けた分割数で動画像データを均等な時間で分割する。
【００５１】
なお、本実施の形態では、分割数受付部３０４で受け付けた分割数で動画像データを均等な時間で分割しているが、これに限定するものではない。例えば、ユーザが任意に設定した時間間隔で動画像データを分割してもよい。
【００５２】
また、分割部３０５は、タイムライン８０２に示す動画像データ及びタイムライン８０３に示す動画像データを動画像データ記憶部３０１に格納する。さらに、分割部３０５は、分割した各動画像データの情報を動画像管理データベース３０２に格納する。
【００５３】
具体的には、タイムライン８０２に示す動画像データの情報とは、分割前の動画像データと同一の動画像データ名、分割前の動画像データの記憶日時、分割前の動画像データのタイムライン８０１における再生時間（００：００：００〜００：０１：００）、及び動画像データの解像度である。また、タイムライン８０３に示す動画像データの情報とは、分割前の動画像データと同一の動画像データ名、分割前の動画像データの記憶日時、分割前の動画像データのタイムライン８０１における再生時間（００：０１：００〜００：０２：００）、及び動画像データの解像度である。
【００５４】
また、分割部３０５は、分割された動画像データを更に分割する。具体的には、動画像データを分割した後、分割数受付部３０４によって動画像データを更に分割する分割数が受け付けられた場合、分割された動画像データを受け付けた分割数で更に分割する。図９は、図８に示したタイムライン８０２に示す動画像データを更に２つの動画像データに時系列に分割した例を示した説明図である。タイムライン９０１は、タイムライン８０２に示す動画像データを２つに分割した動画像データのうち００：００：００から００：００：３０までの動画像データの時間軸である。タイムライン９０２は、タイムライン８０２が示す動画像データを２つに分割した動画像データのうち００：００：３０から００：０１：００までの動画像データの時間軸である。
【００５５】
また、分割部３０５は、タイムライン９０１に示す動画像データ及びタイムライン９０２に示す動画像データを動画像データ記憶部３０１に格納する。さらに、分割部３０５は、分割した各動画像データの情報を動画像管理データベース３０２に格納する。
【００５６】
具体的には、タイムライン９０１に示す動画像データの情報とは、分割前の動画像データと同一の動画像データ名、分割前の動画像データの記憶日時、分割前の動画像データのタイムライン８０２における再生時間（００：００：００〜００：００：３０）、及び動画像データの解像度である。また、タイムライン９０２に示す動画像データの情報とは、分割前の動画像データと同一の動画像データ名、分割前の動画像データの記憶日時、分割前の動画像データのタイムライン８０２における再生時間（００：００：３０〜００：０１：００）、及び動画像データの解像度である。
【００５７】
図３に戻り、表示制御部３０６は、再生部３０７によって再生される複数の動画像データの数に応じて表示部１０６の表示領域を分割し、複数の動画像データを分割した表示領域に各々表示する。本実施の形態では、図２に示す表示部１０６内の表示領域１０６ｅを、再生される動画像データの数（例えば、２）に分割する。なお、再生される動画像データの下部には、当該動画像データの情報が表示される。
【００５８】
また、表示制御部３０６は、利用者の操作により分割再生機能が起動されると、動画像データ記憶部３０１に記憶される各動画像データの最初のフレームを取得する。そして、図５に示すように、取得した動画像データの最初のフレームを動画像データの一覧として表示部１０６に表示する。また、ズームボタン１０８の押圧操作により表示部１０６に表示される動画像データの数が変更された場合は、表示部１０６に表示される動画像データの一覧に含まれるフレームの数を増減させる。
【００５９】
また、表示制御部３０６は、図５に示す画面で再生する動画像データが選択されると、図６に示すように、動画像データを分割する数を選択するアイコン（６０１、６０２、６０３）、選択された動画像データの最初のフレーム６０５、及び選択された動画像データの情報を表示する。その際、表示制御部３０６は、動画像データの最初のフレーム６０５を動画像データ記憶部３０１から取得し、動画像データの情報を動画像管理データベース３０２から取得する。
【００６０】
さらに、表示制御部３０６は、分割部３０５により動画像データが分割された後、図７に示すように、動画像データの更に分割する分割数を選択するアイコン（７０１、７０２、７０３）、分割された各動画像データの最初のフレーム（７０５、７０６）、及び分割された各動画像データの情報（７０８、７０９）を表示する。その際、表示制御部３０６は、動画像データの最初のフレーム（７０５、７０６）を動画像データ記憶部３０１から取得し、動画像データの情報（７０８、７０９）を動画像管理データベース３０２から取得する。
【００６１】
図３に戻り、再生部３０７は、分割部３０５により分割された複数の動画像データを、表示制御部３０６により分割された各表示領域で同時に再生する。本実施の形態では、分割部３０５により分割され、動画像データ記憶部３０１に記憶される各動画像データを、表示制御部３０６により分割された各表示領域で同時に再生する。
【００６２】
具体的には、再生部３０７は、分割された各動画像データに含まれる静止画（フレーム）を、時系列に再生することにより当該各動画像データの再生を実行する。なお、動画像データの再生は、利用者による再生停止の操作が行われるまで繰り返し行われるものとする。
【００６３】
図１０は、図８に示すタイムライン８０２に示す動画像データ及びタイムライン８０３に示す動画像データを同時に再生した一例を示す説明図である。再生部３０７は、図１０に示すように、タイムライン８０２に示す００：００：００から００：０１：００までの動画像データと、タイムライン８０３に示す００：０１：００から００：０２：００までの動画像データとを同時に再生する。
【００６４】
図２に示す表示部１０６に表示された画面は、タイムライン８０２に示す００：００：００から００：０１：００までの動画像データ１０６aと、タイムライン８０３に示す００：０１：００から００：０２：００までの動画像データ１０６ｂと、が同時に再生された場合の画面である。これにより、利用者は、図８に示すタイムライン８０１に示す動画像データを半分の時間（１分）で視聴することができる。
【００６５】
図１１は、図９に示すタイムライン９０１に示す動画像データ及びタイムライン９０２に示す動画像データを同時に再生した一例を示す説明図である。再生部３０７は、図１１に示すように、タイムライン９０１に示す００：００：００から００：００：３０までの動画像データと、タイムライン９０２に示す００：０１：００までの動画像データとを同時に再生する。これにより、利用者は、図９に示すタイムライン８０２に示す動画像データを半分の時間（３０秒）で視聴することができる。
【００６６】
図３に戻り、フレーム指定部３０８は、表示部１０６に表示されている動画像データに含まれる１フレームを指定する。具体的には、動画像データの再生中に、利用者により操作ボタン１０９が押下された場合、フレーム指定部３０８は、再生部３０７により再生されている動画像データに含まれる１フレームの指定を受け付ける。
【００６７】
利用者は、図２に示す表示部１０６に表示される画面において、十字キー１１０を左右に操作して、動画像データ１０６ａ又は動画像データ１０６ｂにカーソル１０６ｆを移動させる。そして、利用者は、指定したい場面が表示されたときに操作ボタン１０９を押下することにより、フレームを指定する。
【００６８】
図３に戻り、フレーム抽出部３０９は、フレーム指定部３０８により指定されたときに表示部１０６に表示されていた１フレームを動画像データから抽出する。本実施の形態では、フレーム指定部３０８により指定されたときに、再生部３０７により再生されていたフレームを、動画像データ記憶部３０１に記憶された動画像データからから抽出する。なお、フレーム抽出部３０９は、抽出したフレームを縮小し、縮小した画像（サムネイル画像）をサムネイル画像データ記憶部３１０に格納する。
【００６９】
サムネイル画像データ記憶部３１０は、フレーム抽出部３０９により抽出され、縮小されたサムネイル画像を記憶する。利用者は、サムネイル画像データ記憶部３１０に記憶されたサムネイル画像をプリントすることができる。
【００７０】
次に、図１２を用いて、分割再生機能により動画像データを時系列に分割し、分割した複数の動画像データを同時に再生する処理について説明する。図１２は、分割再生機能により動画像データを再生する処理の手順を示すフローチャートである。
【００７１】
まず、選択受付部３０３は、動画像データ記憶部３０１に記憶された動画像データのうち、分割再生機能により再生する動画像データの選択を受け付ける（ステップＳ１２０１）。次に、分割数受付部３０４は、選択を受け付けた動画像データを分割する分割数の選択を受け付ける（ステップＳ１２０２）。
【００７２】
動画像データ及び分割数の選択が受け付けられると、分割部３０５は、選択を受け付けた動画像データを動画像データ記憶部３０１から取得し（ステップＳ１２０３）、選択を受け付けた分割数で取得した動画像データを時系列に分割する（ステップＳ１２０４）。
【００７３】
動画像データが分割されると、表示制御部３０６は、再生部３０７によって再生される複数の動画像データの数に応じて表示部１０６の表示領域を分割する（ステップＳ１２０５）。
【００７４】
次に、分割数受付部３０４は、分割された各動画像データを更に分割する分割数の選択を待って待機する（ステップＳ１２０６）。そして、分割された動画像データを更に分割する分割数の選択が受け付けられた場合（ステップＳ１２０６：Ｙｅｓ）、ステップ１２０３に戻る。
【００７５】
一方、分割された動画像データを更に分割する分割数が選択されなかった場合（ステップＳ１２０６：Ｎｏ）、再生部３０７は、分割された複数の動画像データを、表示制御部３０６により分割された各表示領域で同時に再生する（ステップＳ１２０７）。
【００７６】
再生部３０７により動画像データが再生されている間、フレーム指定部３０８は、利用者による操作ボタン１０９の押下による表示部１０６に表示されているフレームの指定を待って待機する（ステップＳ１２０８）。フレームが指定されなかった場合（ステップＳ１２０８：Ｎｏ）、フレーム指定部３０８は、利用者による再生停止の操作が行われて動画像データの再生が停止するまで、フレームの指定を待って待機する（ステップＳ１２０８）。
【００７７】
一方、フレームが指定された場合（ステップＳ１２０８：Ｙｅｓ）、フレーム抽出部３０９は、フレーム指定部３０８により指定されたときに再生部３０７により再生されていた動画像データに含まれるフレームを動画像データから抽出する（ステップＳ１２０９）。なお、フレームの抽出後は、フレーム指定部３０８は、利用者による再生停止の操作が行われて動画像データの再生が停止するまで、再び、フレームの指定を待って待機する（ステップＳ１２０８）。
【００７８】
このように本実施の形態にかかるデジタルカメラ１００では、分割部３０５により動画像データを複数の動画像データに時系列に分割し、表示制御部３０６により当該複数の動画像データの数に応じて表示部１０６の表示領域１０６ｅを分割し、複数の動画像データを分割した表示領域１０６ｅに各々表示し、複数の動画像データを各表示領域１０６ｅで同時に再生することにより、分割前の動画像データを見るよりも短時間でその内容をより簡単に視聴することができ、かつユーザは動画像データから確認したい所望のシーン又はフレームを用意に見つけることができる。
【００７９】
図１３は、本実施の形態にかかる分割再生機能を実現するためのプログラムを実行したデジタルカメラ１００のハードウェア構成を示した図である。本実施の形態にかかるデジタルカメラ１００は、レンズ１０２、表示部１０６、ＣＣＤ１３０１、アナログ信号処理回路１３０２、Ａ／Ｄ変換回路１３０３、ＡＦ処理回路１３０４、記憶部１３０５、キャッシュメモリ１３０６、ＲＯＭ（Read Only Memory）、ＲＡＭ（Random Access Memory）、ＨＤＤ（Hard Disk Drive）、ＣＤ（Compact Disk）等の記憶部Ｉ／Ｆ１３０７、ＣＰＵ（Central Processing Unit）等の制御部１３０８、ネットワークと接続する通信用Ｉ／Ｆ１３０９、及び操作部Ｉ／Ｆ１３１０を備えている。
【００８０】
ＣＣＤ１３０１は、レンズ１０２のデジタルカメラ１００内部側に配置され、光学的な被写体の画像を電気的な撮影信号に変換して出力する。
【００８１】
アナログ信号処理回路１３０２は、ＣＣＤ１３０１から出力された撮影信号に対してゲイン調整、ガンマ処理などを実行する。
【００８２】
Ａ／Ｄ変換回路１３０３は、アナログ信号処理回路１３０２で処理された撮影信号をＲＧＢの画像データに変換し、制御部１３０８及びＡＦ処理回路１３０４に出力する。つまり、静止画モード又は動画モードで撮影された被写体画像は、アナログ信号処理回路１３０２を経て、Ａ／Ｄ変換回路１３０３で画像データに変換される。なお、画像データは、輝度、色差データ（Ｙ、Ｃｒ、Ｃｂデータ）であっても良い。
【００８３】
制御部１３０８は、画像データにガンマ補正、解像度の変更、記録時のデータ圧縮や読み出し時のデータ伸長などの各種データ処理を実行する。制御部１３０８で処理された画像データは、表示部１０６に出力される。これにより、表示部１０６には、被写体画像がスルー画像として表示可能となる。
【００８４】
ＡＦ処理回路１３０４は、Ａ／Ｄ変換回路１３０３から出力された画像データから被写体画像のコントラストを検出し、検出されたコントラストに基づいて適正なピント状態となるように図示しないフォーカスレンズの動作を制御する。
【００８５】
記憶部１３０５は、静止画データ、動画像データ、及び音声データが記録可能となっている。記憶部１３０５としては、不揮発性メモリが好ましく、更にはデジタルカメラ１００に着脱可能なメモリカード等が好ましい。
【００８６】
キャッシュメモリ１３０６は、記憶部１３０５への各データの読み込み及び書き込みの速度を確保する。
【００８７】
記憶部Ｉ／Ｆ１３０７は、図示しないメモリスロットに装着されている記憶部１３０５に対する各データの入出力を制御する。
【００８８】
通信用Ｉ／Ｆ１３０９は、画像データの印刷等を実行するプリンタ等の出力装置１３１１や図示しないパーソナルコンピュータとの通信を制御する。
【００８９】
操作部Ｉ／Ｆ１３１０は、レリーズボタン１０３、モード切換スイッチ１０７、ズームボタン１０８、操作ボタン１０９、及び十字キー１１０からの操作信号の入力を制御する。
【００９０】
図３に示す構成は、これらのハードウェア構成により実現される。例えば、選択受付部３０３、分割数受付部３０４、分割部３０５、表示制御部３０６、再生部３０７、フレーム指定部３０８、及びフレーム抽出部３０９による各ハードウェア構成に対する指示は、記憶部１３０５に格納されたプログラムが実行された制御部１３０８により実現される。
【００９１】
また、動画像データ記憶部３０１、動画像管理データベース３０２、及びサムネイル画像データ記憶部３１０は、記憶部１３０５内に確保されているものとする。
【００９２】
（変形例）
上述の実施の形態では、図７に示す画面において、分割された複数の動画像データの中から更に分割する動画像データを選択する際、表示部１０６に表示されたカーソル７０７の位置を確認しながら十字キー１１０を操作しなければならない。そこで、本変形例では、図１４に示すように、表示制御部３０６は、分割された複数の動画像データを十字キー１１０の上下左右の位置に合わせた位置に表示する。図１４は、４つに分割された動画像データを上下左右に表示した一例を示す説明図である。なお、上述した実施の形態と同様の構成については説明を省略する。
【００９３】
図１４（ａ）は、再生時間が４分の動画像データを４つに均等に分割した場合に表示部１０６に表示される画面、および十字キー１１０を示す説明図である。利用者は、十字キー１１０の右を指示することによりカーソル１４０１を動画像データＢへ移動させ、さらに十字キー１１０の中央部のボタンを押下することで、動画像データＢの選択を指示することができる。
【００９４】
図１４（ｂ）は、図１４（ａ）に示す動画像データＢが４つの動画像データに分割された場合に表示部１０６に表示される画面、および十字キー１１０を示す説明図である。利用者は、十字キー１１０の右を指示することによりカーソル１４０１を動画像データＢ１へ移動させ、さらに十字キー１１０の中央部のボタンを押下することで、動画像データＢ１の選択を指示することができる。
【００９５】
図１４（ｃ）は、図１４（ｂ）に示す動画像データＢ１が４つの動画像データに分割された場合に表示部１０６に表示される画面、および十字キー１１０を示す説明図である。利用者は、十字キー１１０の上を指示することによりカーソル１４０１を動画像データＢ１−４へ移動させ、さらに十字キー１１０の中央部のボタンを押下することで、動画像データＢ１−４の選択を指示することができる。
【００９６】
図１４（ｄ）は、図１４（ｃ）に示す動画像データＢ１−４が３つの動画像データに分割された場合に表示部１０６に表示される画面、および十字キー１１０を示す説明図である。本実施の形態では、１秒以下の動画像データには再生することができないものとする。そのため、図１４（ｄ）に示す例では、３つの動画像データに分割されている。なお、分割された各動画像データの下部には、各動画像データの再生時間が表示されるものとする。
【００９７】
＜第２の実施の形態＞
第２の実施の形態について、添付図面を参照して説明する。以下、本実施の形態にかかるデジタルカメラについて、第１の実施の形態にかかるデジタルカメラ１００と異なる部分を説明する。
【００９８】
図１５は、第２の実施の形態にかかるデジタルカメラ１５００の構成を示すブロック図である。本図に示すように、このデジタルカメラ１００は、動画像データ記憶部３０１、動画像管理ＤＢ３０２、選択受付部３０３、分割数受付部３０４、再生部３０７、フレーム指定部３０８、フレーム抽出部３０９、サムネイル画像データ記憶部３１０、時間帯指定部１５０１、分割部１５０２、表示制御部１５０３、および選択受付部１５０４を備えている。ここで、動画像データ記憶部３０１、動画像管理ＤＢ３０２、分割数受付部３０４、再生部３０７、フレーム指定部３０８、フレーム抽出部３０９、およびサムネイル画像データ記憶部３１０の構成、機能は、第１の実施の形態とほぼ同様であるので、説明を省略する。
【００９９】
時間帯指定部１５０１は、動画像データ記憶部３０１に記憶された動画像データのうち、再生する時間帯を指定する。具体的には、分割部１５０２によって動画像データ記憶部３０１から取得された動画像データのうち、再生したい時間帯を指定する。
【０１００】
図１６（ａ）は、再生したい時間帯を指定する際に表示部１０６に表示される画面の一例を示す説明図である。図１６（ｂ）は、再生したい時間帯を変更した際に表示部１０６に表示される画面の一例を示す説明図である。図１６（ａ）および（ｂ）に示す画面には、分割部１５０２によって取得された動画像データの時間軸を示すタイムライン１６０１、再生する時間帯を示すタイムバー１６０２、および指定された時間帯の動画像データを３つに分割した動画像データが表示される。さらに、図１６（ａ）および（ｂ）に示す画面には、指定された時間帯の動画像データを３つに分割した動画像データが表示される。
【０１０１】
具体的には、利用者は、十字キー１１０の左右のボタンを操作して、タイムバー１６０２を図１６（ａ）に示す位置から図１６（ｂ）に示す位置へ移動させることにより時間帯を指定することができる。これにより、動画像データが長い場合であっても指定された時間帯の動画像データのみが再生されるため、所望の時間帯の動画像データを短時間で視聴することができる。
【０１０２】
図１５に戻り、分割部１５０２は、動画像データ記憶部３０１から取得した動画像データから時間帯指定部１５０１によりしてされた時間帯の動画像データを抽出し、抽出した動画像データを複数の動画像データに時系列に分割する。なお、動画像データを分割する処理は、第１の実施の形態と同様であるため、説明を省略する。
【０１０３】
選択受付部１５０４は、分割部１５０２によって動画像データが複数の動画像データに分割された後、複数に分割された動画像データから更に分割する動画像データの選択を受け付ける。図１７（ａ）は、抽出された動画像データを分割した後に表示される画面の一例を示す説明図である。図１７（ｂ）は、図１７（ａ）に示す動画像データを更に分割した場合に表示される画面の一例を示す説明図である。利用者は、図１７（ａ）に示す画面において、十字キー１１０を操作して選択したい動画像データにカーソル１７０１を移動させ、十字キー１１０の中央部のボタンを押下して動画像データを選択する。
【０１０４】
また、利用者は、図１７（ｂ）に示す画面において、同様の操作を行うことにより、更に分割する動画像データを選択することができる。なお、図１７（ｂ）に示すタイムライン１７０２は、図１７（ａ）において選択された動画像データの時間軸である。
【０１０５】
表示制御部１５０３は、第１の実施の形態において説明した画面に加えて、図１６および図１７に示す画面を表示部１０６に表示させることができる。また、表示制御部１５０３は、図示しない初期設定ボタンが押下されると、図１８に示す画面を表示部１０６に表示する。図１８は、図１６に示すタイムバー１６０２の指定範囲および分割数を受け付ける画面の一例を示す説明図である。ここで、指定範囲とは、タイムバー１６０２によって指定される時間帯の長さである。具体的には、利用者は、十字キー１１０またはズームボタン１０８を操作して、指定範囲１８０１および分割数１８０２を増減させることができる。
【０１０６】
このように本実施の形態にかかるデジタルカメラ１５００では、動画像データが長い場合に、動画像データ記憶部３０１から取得した動画像データから所望の時間帯の動画像データを抽出し、抽出した動画像データを時系列に分割して、分割した複数の動画像データを同時に再生することにより、短時間で所望の時間帯の動画像データを視聴することができる。
【０１０７】
＜第３の実施の形態＞
第１および第２の実施の形態においては、本発明の画像再生装置として、デジタルカメラを適用したが、これに限るものではない。例えば、デジタルカメラをパーソナルコンピュータに接続するとともに、このパーソナルコンピュータのＨＤＤ（Hard Disk Drive）などの記憶装置に所定のプログラムをインストールし、このプログラムに従ってパーソナルコンピュータのＣＰＵ（Central Processing Unit ）を動作させることによっても、前述したような各種の作用効果と同様の作用効果を得ることができる。
【０１０８】
図１９は、第３の実施の形態にかかる画像再生システムの概略構成例を示すブロック図である。図１９に示す画像再生システム１９００は、画像データの再生処理を行うパーソナルコンピュータ１９０１と、画像データを生成するデジタルカメラ１９０２とが、ケーブル１９０３を介して接続されて構築されている。
【０１０９】
パーソナルコンピュータ１９０１は、デジタルカメラ１９０２から入力された動画像データ等を再生する。
【０１１０】
デジタルカメラ１９０２は、パーソナルコンピュータ１９０１で再生する動画像データの撮影を行う。
【０１１１】
以下、パーソナルコンピュータ１９０１の具体的な構成を順に説明する。なお、デジタルカメラ１９０２の構成は上述の実施の形態と同様であるため、説明を省略する。
【０１１２】
図２０は、パーソナルコンピュータの概略構成を示すブロック図である。図２０において、パーソナルコンピュータ１９０１は、データを入力するための入力部２００１と、表示部２００２と、データ通信をおこなうための通信部２００３と、装置全体の制御を司るＣＰＵ２００４と、ＣＰＵ２００４のワークエリアとして使用されるＲＡＭ２００５と、記憶媒体２００７のデータのリード／ライトを行う記憶媒体ドライブ装置２００６と、ＣＰＵ２００４を動作させるための各種プログラム等を記憶した記憶媒体２００７とから構成されている。
【０１１３】
入力部２００１は、カーソルキー、数字入力キー及び各種機能キー等を備えたキーボード、表示部２００２の表示画面上でキーの選択等を行うためのマウスやスライスパット等からなり、利用者がＣＰＵ２００４に操作指示を与えたり、データを入力するためのユーザインタフェースである。
【０１１４】
表示部２００２は、ＣＲＴやＬＣＤ等により構成され、ＣＰＵ２００４から入力される表示データに応じた表示が行われる。通信部２００３は、外部とデータ通信するためのものであり、例えば、ケーブル１９０３を介してデジタルカメラ１９０２等とデータ通信を行うためのものである。
【０１１５】
ＣＰＵ２００４は、記憶媒体２００７に格納されているプログラムに従って、装置全体を制御する中央制御ユニットであり、このＣＰＵ２００４には、入力部２００１、表示部２００２、通信部２００３、ＲＡＭ２００５、記憶媒体ドライブ装置２００６が接続されており、データ通信、メモリへのアクセスによるアプリケーションプログラムの読み出しや各種データのリード／ライト、データ／コマンド入力、表示等を制御する。
【０１１６】
ＲＡＭ２００５は、指定されたプログラム、入力指示、入力データ及び処理結果等を格納するワークメモリと、表示部２００２の表示画面に表示する表示データを一時的に格納する表示メモリとを備えている。
【０１１７】
上記記憶媒体２００７は、ＣＰＵ２００４が実行可能なＯＳプログラム２００７ａ（例えば、ＷＩＮＤＯＷＳ（登録商標）等）、文書作成アプリケーションプログラム２００７ｂ、デジタルカメラ１９０２に対応したドライバ３１７ｃ等の各種プログラムやデータを格納する。記憶媒体２００７としては、例えば、フレキシブルディスク、ハードディスク、ＣＤ−ＲＯＭ、ＤＶＤ−ＲＯＭ、ＭＯやＰＣカード等の光学的・磁気的・電気的な記憶媒体から成る。上記各種プログラムは、ＣＰＵ２００４が読み取り可能なデータ形態で記憶媒体２００７に格納されている。また、上記各種プログラムは、予め記憶媒体に記録されている場合や通信回線を介してダウンロードされて記憶媒体に格納される場合等がある。また、上記各種プログラムは通信回線を介して配信可能である。
【０１１８】
次に、パーソナルコンピュータ１９０１のドライバ２００７ｃについて説明する。ドライバ２００７ｃは、特定のプログラムに対して他のプログラムが、デジタルカメラ１９０２のハードウェアや内部“言語"に煩わされることなく操作できるように設計されたソフトウエアプログラムであり、デジタルカメラ１９０２を制御するためのもので、出力データの処理等をおこなうためのものである。
【０１１９】
パーソナルコンピュータ１９０１のＣＰＵ２００４は、ドライバ２００７ｃに従って、通信部２００３から入力された動画像データ等の再生等を行う。
【０１２０】
図２１は、パーソナルコンピュータの要部を示すブロック図である。パーソナルコンピュータ１９０１は、ドライバ２００７ｃに従ってＣＰＵ２００４が動作することにより、図２１に示すように、動画像データ記憶部３０１、動画像管理データベース３０２、選択受付部３０３、分割数受付部３０４、分割部３０５、表示制御部３０６、再生部３０７、フレーム指定部３０８、フレーム抽出部３０９およびサムネイル画像データ記憶部３１０を備える。
【０１２１】
このように、ドライバ２００７ｃに従ってＣＰＵ２００４が動作することにより、パーソナルコンピュータ１９０１は、図３に示したデジタルカメラ１００と同等なシステム構成を備えることになり、第１および第２の実施の形態で説明したような各種の作用効果と同様の作用効果を得ることができる。なお、パーソナルコンピュータ１９０１のシステム構成は、図３に示すデジタルカメラ１００のシステム構成とほぼ同様であるため、ここでは、異なる部分についてのみ説明する。
【０１２２】
フレーム指定部３０８は、図２２に示す表示画面において指定されたフレームの指定を受け付ける。図２２（ａ）は、再生部３０７によって複数の動画像データが同時に再生された画面の一例を示す説明図である。図２２（ｂ）は、同時に再生する動画像データに含まれるフレームが指定されたときの画面の一例を示す説明図である。図２２（ｃ）は、指定されたフレームが表示された画面の一例を示す説明図である。図２２（ｄ）は、指定されたフレームの一覧が表示された画面の一例を示す説明図である。
【０１２３】
利用者は、図２２（ａ）に示す表示画面において、入力部２００１が備えるマウスを操作してカーソル２２０１を所望の動画像データへ移動させる。そして、図２２（ｂ）に示すように、動画像データに含まれる所望のフレームが表示されたときに、当該フレームをドラッグして、動画像データの表示領域外へドロップすることにより、動画像データから抽出するフレームを指定することができる。なお、フレーム指定部３０８の指定に従ってフレーム抽出部３０９によって抽出されたフレーム２２０２は、図２２（ｃ）に示すように、動画像データの表示領域外に表示される。
【０１２４】
なお、フレーム抽出部３０９によって抽出されたフレーム２２０２は、図２２（ｄ）に示すように、抽出されたフレームの一覧として表示することもできる。利用者は、図２２（ｄ）に示す表示画面においてカーソル２２０３をプリントアイコン２２０４へ移動させ、クリックすることにより、抽出されたフレームの印刷を指示することができる。
【０１２５】
再生部３０７は、フレーム指定部３０８により動画像データに含まれるフレームが指定されたとき、当該指定されたフレームの所定時間前に戻って動画像データを再生することもできる。これにより、フレームを指定する操作により利用者が表示画面から目を離し、所望のシーンを見逃すことをなくすことができる。または、フレームが指定されたとき、所定時間だけ動画像データの再生速度を遅くしてもよい。
【０１２６】
なお、本実施の形態においては、ドライバ２００７ｃに従ってパーソナルコンピュータ１９０１のＣＰＵ２００４を動作させることによって、入力部２００１から入力された動画像データを再生させるようにしたが、これに限るものではなく、ＯＳプログラム２００７ａ等に従ってパーソナルコンピュータ１９０１のＣＰＵ２００４を動作させることによって、動画像データの再生等を実行してもよい。
【０１２７】
このように本実施の形態にかかる画像再生システムでは、動画像データに含まれるフレームの指定をより簡単な操作で行うことができる。また、本実施の形態によれば、パーソナルコンピュータが備える様々な編集機能を用いて、動画像データから抽出したフレームに対して種々の後処理を施すことができる。
【０１２８】
以上、本発明者によってなされた発明を好適な実施例に基づき具体的に説明したが、本発明は上記のものに限定されるものではなく、その要旨を逸脱しない範囲で種々変更可能であることはいうまでもない。また、上述した第１および第２の実施の形態において説明した構成や機能は、自由に組み合わせることができる。
【図面の簡単な説明】
【０１２９】
【図１】第１の実施の形態にかかるデジタルカメラの前面図である。
【図２】第１の実施の形態にかかるデジタルカメラの背面図である。
【図３】第１の実施の形態にかかるデジタルカメラの構成を示すブロック図である。
【図４】動画像管理データベースに格納された動画像管理テーブルの構造を示した図である。
【図５】再生する動画像データの選択する際に表示部に表示される画面例を示した説明図である。
【図６】動画像データを分割する数を受け付ける際に表示部に表示される画面例を示した説明図である。
【図７】動画像データを更に分割する際に表示部に表示される画面例を示した説明図である。
【図８】動画像データを２つの動画像データに時系列に分割した例を示した説明図である。
【図９】分割された動画像データを更に２つの動画像データに時系列に分割した例を示した説明図である。
【図１０】２つの動画像データを同時に再生した例を示した説明図である。
【図１１】２つの動画像データを同時に再生した例を示す説明図である。
【図１２】第１の実施の形態にかかる分割再生機能による上述した処理の手順を示すフローチャートである。
【図１３】第１の実施の形態にかかる分割再生機能を実現するためのプログラムを実行したデジタルカメラのハードウェア構成を示した図である。
【図１４】４つに分割された動画像データを上下左右に表示した一例を示す説明図である。
【図１５】第２の実施の形態にかかるデジタルカメラの構成を示すブロック図である。
【図１６】再生したい時間帯を指定する際に表示部に表示される画面の一例を示す説明図である。
【図１７】動画像データの分割した後に表示部に表示される画面の一例を示す説明図である。
【図１８】タイムバーの指定範囲および分割数を受け付ける画面の一例を示す説明図である。
【図１９】第３の実施の形態にかかる画像再生システムの概略構成例を示すブロック図である。
【図２０】パーソナルコンピュータの概略構成を示すブロック図である。
【図２１】パーソナルコンピュータの要部を示すブロック図である。
【図２２】動画像データに含まれるフレームを指定する画面の一例を示す説明図である。
【符号の説明】
【０１３０】
１００、１５００、１９０２  デジタルカメラ
１０１  ボディ
１０２  レンズ
１０３  レリーズボタン
１０４  ストロボ発光部
１０５  接眼窓
１０６  表示部
１０７  モード切換スイッチ
１０８  ズームボタン
１０９  操作ボタン
１１０  十字キー
３０１  動画像データ記憶部
３０２  動画像管理データベース
３０３、１５０４  選択受付部
３０４  分割数受付部
３０５、１５０２  分割部
３０６、１５０３  表示制御部
３０７  再生部
３０８  フレーム指定部
３０９  フレーム抽出部
３１０  サムネイル画像データ記憶部
１３０１  ＣＣＤ
１３０２  アナログ信号処理回路
１３０３  Ａ／Ｄ変換回路
１３０４  ＡＦ処理回路
１３０５  記憶部
１３０６  キャッシュメモリ
１３０７  記憶部Ｉ／Ｆ
１３０８  制御部
１３０９  通信用Ｉ／Ｆ
１３１０  操作部Ｉ／Ｆ
１５０１  時間帯指定部
１９０１  パーソナルコンピュータ
１９０３  ケーブル
２００１  入力部
２００２  表示部
２００３  通信部
２００４  ＣＰＵ
２００５  ＲＡＭ
２００６  記憶媒体ドライブ装置
２００７  記憶媒体
【図１】
0005010420.tif 000002
【図２】
0005010420.tif 000003
【図３】
0005010420.tif 000004
【図４】
0005010420.tif 000005
【図５】
0005010420.tif 000006
【図６】
0005010420.tif 000007
【図７】
0005010420.tif 000008
【図８】
0005010420.tif 000009
【図９】
0005010420.tif 000010
【図１０】
0005010420.tif 000011
【図１１】
0005010420.tif 000012
【図１２】
0005010420.tif 000013
【図１３】
0005010420.tif 000014
【図１４】
0005010420.tif 000015
【図１５】
0005010420.tif 000016
【図１６】
0005010420.tif 000017
【図１７】
0005010420.tif 000018
【図１８】
0005010420.tif 000019
【図１９】
0005010420.tif 000020
【図２０】
0005010420.tif 000021
【図２１】
0005010420.tif 000022
【図２２】
0005010420.tif 000023